(57)【特許請求の範囲】
【請求項１】
天井に形成された開口部に取り付けられる天井設置型空調装置の取付構造であって、
前記天井の下面よりも上方に位置し、前記空調装置の装置本体を構成する本体ケーシングと、
前記天井よりも上方に位置する吊下支持部材により支持された状態で設けられ、全体として枠状に構成され、その枠状の内側の開口縁部により形成される開口に前記本体ケーシングを貫通させた状態で前記本体ケーシングを所定の取付位置に支持する取付部材と、
前記取付部材の下側に設けられ、前記開口部の縁に沿って前記取付部材を下側から覆う開口カバーと、を備え、
前記取付部材は、前記開口を形成するとともに前記天井の下面よりも上方の位置に前記本体ケーシングの取付面を形成する水平部と、該水平部の外周端部から鉛直方向下向きに延出し、前記開口部の縁に沿う鉛直部と、該鉛直部の下端部から外周方向に張り出して形成される張出部と、を有し、前記張出部の上面が前記天井の下面に接触するように前記吊下支持部材により支持され、
前記本体ケーシングは、前記水平部に対して下側から上側に向かって締結される締結部材により前記取付部材に固定される
天井設置型空調装置の取付構造。
【請求項２】
前記開口カバーは、前記張出部を下側から覆う被覆面部、および該被覆面部の外周縁部から立ち上がり前記天井の下面に接触する当接壁部を含む爪部を有し、前記水平部に対して下側から上側に向かって締結される締結部材により前記取付部材に固定され、
前記被覆面部と前記張出部との間には隙間が形成され、前記爪部の下面は、前記爪部の内周端部側から外周端部側にかけて前記天井側に近付くように傾斜した傾斜面となっている
請求項１に記載の天井設置型空調装置の取付構造。
【請求項３】
前記開口カバーには、前記水平部を下側から上側に向けて貫通して前記開口カバーを前記取付部材に係止させる仮固定用の係止片部が設けられている
請求項２に記載の天井設置型空調装置の取付構造。
【請求項４】
前記開口カバーには、下方に向けて突出し、前記本体ケーシングに嵌合することで前記開口カバーに前記本体ケーシングを位置決めさせる嵌合突部が設けられている
請求項２または請求項３に記載の天井設置型空調装置の取付構造。
【発明の詳細な説明】
【技術分野】
【０００１】
本発明は、天井に形成された開口部に取り付けられる天井設置型空調装置の取付構造に関する。
【背景技術】
【０００２】
従来、例えば浴室乾燥装置等のように、浴室等の部屋の天井に形成された開口部に取り付けられ、開口部から下側に臨むように設けられる天井設置型空調装置がある。かかる空調装置は、装置本体の全体またはその大部分を天井よりも上側に位置させるとともに、浴室内等の室内に対する空気の吸込口や吹出口を天井の下側に臨ませた状態で設けられる。
【０００３】
このような天井設置型空調装置においては、例えばすっきりとした外観を得るため、天井の下面からの出代つまり突出量を小さくすることが望まれる。天井の下面からの出代を小さくするための取付構造として、空調装置の装置本体の取付面を天井の下面よりも上方に位置させ、装置本体の全体を天井よりも上側に埋め込んだ態様で設けた構造がある。装置本体の取付面は、例えば、天井の開口部に対応して枠状に構成されるとともに装置本体の下端の取付縁部に固定されるアダプタ部材により形成される。つまり、アダプタ部材は、開口部を形成する天井と装置本体との間に介在し、装置本体を天井の開口部に取り付けるための取付部を構成する。
【０００４】
このような天井設置型空調装置の取付構造においては、例えば、アダプタ部材が天井の上で取り付けられることから、装置本体を取り付けるための作業が、天井の上方での取付け作業となる。このため、従来の取付構造においては、例えば、装置本体とアダプタ部材とをネジ等の締結具によって複数の方向から互いに固定する場合、施工が困難であるという問題がある。
【０００５】
天井設置型空調装置の取付構造に関する技術を開示した文献として、特許文献１および特許文献２がある。
【０００６】
特許文献１には、浴室の天井の上方の建物側の天井から垂設された吊りボルトに、枠状に構成された吊り枠を固定し、この吊り枠と天井との間にパッキンを設けるとともに、吊り枠に装置本体を固定する取付構造が開示されている。かかる取付構造において、装置本体の下端部周縁に形成されたフランジ部が、吊り枠の下端部外周に形成されたフランジ部にネジにより固定されることで、装置本体が吊り枠に固定されている。そして、浴室の天井の上側に位置する吊り枠のフランジ部と天井との間、つまり吊り枠のフランジ部の下面と天井の上面との間に、パッキンが介装されている（特許文献１の図３参照）。なお、天井のパッキン側と反対側（下側）には、装置本体の下側に取り付けられるパネルの縁端部が位置し、このパネルの縁端部と吊り枠のフランジ部とにより天井が挟まれた態様となっている。
【０００７】
また、特許文献１には、他にも、全体として枠状で断面Ｌ字状のシール用プレートを吊り枠の下端部に固定し、このシール用プレートを装置本体のフランジ部と天井との間に配置させた構成が開示されている。かかる構成として、天井の下側に位置するシール用プレートと天井との間、つまりシール用プレートの上面と天井の下面との間に、パッキンを介装した構成が開示されている（特許文献１の図８参照）。この構成では、シール用プレートを介して、吊り枠と天井との間にパッキンが設けられている。
【０００８】
特許文献２には、装置本体の取付面を形成するアダプタ部材として、天井の開口部の開口端面に対向する立上壁とこの立上壁の下端部から外側に延びる鍔部とを有するアダプタを備え、天井の上面側に固定されるＣ型金具からなる補強材を設けた取付構造が開示されている（特許文献２の図２、図４参照）。天井は、その下側に位置するアダプタの鍔部と上側に位置する補強材とにより挟まれた状態となる。また、アダプタと補強材とは、これらの上側に配置されるアダプタ補強金具にそれぞれ固定されている。この特許文献２の取付構造は、上述したような装置本体の全体を天井よりも上側に埋め込んだ態様で設ける構造に相当する。
【先行技術文献】
【特許文献】
【０００９】
【特許文献１】特許第４８１６６２５号公報
【特許文献２】特許第５４７３３３９号公報
【発明の概要】
【発明が解決しようとする課題】
【００１０】
上述のような従来の取付構造によれば、次のような問題がある。まず、特許文献１に開示された取付構造のうち、吊り枠のフランジ部の下面と天井の上面との間にパッキンを介装した構造によれば、天井が吊り枠のフランジ部とパネルの縁端部とにより挟まれた態様となることから、天井の厚さの違いに対応することが困難となる。この点、パッキンの厚さを変化させることにより、ある程度の天井の厚さの違いには対応できると考えられるものの、対応可能な天井の厚さの範囲が極めて狭い範囲に制限されることになる。
【００１１】
また、特許文献１に開示された取付構造のうち、シール用プレートの上面と天井の下面との間にパッキンを介装した構造によれば、天井を挟み込む構成ではないことから、上記の構造に比べると天井の厚さの違いに比較的容易に対応することができると考えられる。しかしながら、かかる取付構造の場合、シール用プレートおよび装置本体のフランジ部が天井の下側に位置すること等から、天井の下面からの出代を小さくすることが困難となる。
【００１２】
また、特許文献２に開示された取付構造によれば、装置本体の全体を天井よりも上側に埋め込んだ態様で設ける構造であることから、上側の補強材とともに天井を下側から挟むアダプタの鍔部の下面と、装置本体を下側から覆うパネルの下面とを略面一にすることで、すっきりとした外観を得ることができる。しかしながら、かかる取付構造の場合、天井の厚さが異なってくると、アダプタの鍔部の下面とパネルの下面とを略面一にすることが困難となるという問題がある。
【００１３】
本発明は、このような問題点に鑑みてなされたものであり、天井の下面からの出代を可及的に小さくすることができるとともに、天井の厚さに左右されずに取り付けることが可能であり、しかも、天井の下側からの取付作業を容易に行うことができる天井設置型空調装置の取付構造を提供することを目的とする。
【課題を解決するための手段】
【００１４】
本発明に係る天井設置型空調装置の取付構造は、天井に形成された開口部に取り付けられる天井設置型空調装置の取付構造であって、前記天井の下面よりも上方に位置し、前記空調装置の装置本体を構成する本体ケーシングと、前記天井よりも上方に位置する吊下支持部材により支持された状態で設けられ、前記本体ケーシングを所定の取付位置に支持する取付部材と、を備え、前記取付部材は、前記天井の下面よりも上方の位置に前記本体ケーシングの取付面を形成する水平部と、該水平部の外周端部から鉛直方向下向きに延出し、前記開口部の縁に沿う鉛直部と、該鉛直部の下端部から外周方向に張り出して形成される張出部と、を有し、前記張出部の上面が前記天井の下面に接触するように前記吊下支持部材により支持され、前記本体ケーシングは、前記水平部に対して下側から上側に向かって締結される締結部材により前記取付部材に固定されるものである。
【００１５】
このような構成の天井設置型空調装置の取付構造によれば、天井の下面からの出代を可及的に小さくすることができるとともに、天井の厚さに左右されずに取り付けることが可能であり、しかも、天井の下側からの取付作業を容易に行うことができる。
【００１６】
本発明のうち他の態様に係る天井設置型空調装置の取付構造は、前記取付部材の下側に設けられ、前記開口部の縁に沿って前記取付部材を下側から覆う開口カバーをさらに備え、前記開口カバーは、前記張出部を下側から覆う被覆面部、および該被覆面部の外周縁部から立ち上がり前記天井の下面に接触する当接壁部を含む爪部を有し、前記水平部に対して下側から上側に向かって締結される締結部材により前記取付部材に固定され、前記被覆面部と前記張出部との間には隙間が形成され、前記爪部の下面は、前記爪部の内周端部側から外周端部側にかけて前記天井側に近付くように傾斜した傾斜面となっているものである。
【００１７】
このような構成の天井設置型空調装置の取付構造によれば、開口カバーを取付部材に締結部材によって締結することで、その締結部分に上方の力が作用し、爪部の下面の傾斜が軽減されるように爪部が撓む。これにより、爪部の下面を水平に近付けることができ、すっきりとした外観を得ることができ、しかも、爪部の当接壁部の上面と天井の下面との間に隙間が生じることを防止することができる。
【００１８】
本発明のうち他の態様に係る天井設置型空調装置の取付構造は、前記開口カバーには、前記水平部を下側から上側に向けて貫通して前記開口カバーを前記取付部材に係止させる仮固定用の係止片部が設けられているものである。
【００１９】
このような構成の天井設置型空調装置の取付構造によれば、開口カバーの落下を防ぐことができる。このため、締結部材による開口カバーの締結作業において、開口カバーを押さえて支持しておく必要がなくなり、良好な作業性を得ることができ、施工性を改善することができる。
【００２０】
本発明のうち他の態様に係る天井設置型空調装置の取付構造は、前記開口カバーには、下方に向けて突出し、前記本体ケーシングに嵌合することで前記開口カバーに前記本体ケーシングを位置決めさせる嵌合突部が設けられているものである。
【００２１】
このような構成の天井設置型空調装置の取付構造によれば、本体ケーシングの取付けに際し、嵌合突部が本体ケーシング側の嵌合部に嵌合することにより、本体ケーシングの位置が自動的に矯正されることから、下側から取り付けられる本体ケーシングを開口カバーに対して容易に位置決めすることができ、本体ケーシングの位置ずれを防ぐことができる。
【発明の効果】
【００２２】
本発明によれば、天井の下面からの出代を可及的に小さくすることができるとともに、天井の厚さに左右されずに取り付けることが可能であり、しかも、天井の下側からの取付作業を容易に行うことができる。
【図面の簡単な説明】
【００２３】
【図１】本発明の一実施形態に係る浴室乾燥装置の全体構成を示す上面側からの斜視図である。
【図２】本発明の一実施形態に係る浴室乾燥装置の全体構成を示す下面側からの斜視図である。
【図３】本発明の一実施形態に係る浴室乾燥装置の分解斜視図である。
【図４】本発明の一実施形態に係る浴室乾燥装置の長手方向の鉛直断面図である。
【図５】本発明の一実施形態に係る浴室乾燥装置の短手方向の鉛直断面図である。
【図６】本発明の一実施形態に係る浴室乾燥装置の取付補強材の斜視図である。
【図７】本発明の一実施形態に係る浴室乾燥装置の取付補強材を示す図であり、（ａ）は平面図、（ｂ）は（ａ）におけるＣ矢視図、（ｃ）は（ａ）におけるＤ矢視図である。
【図８】本発明の一実施形態に係る浴室乾燥装置における本体ケーシングの固定部を示す斜視断面図である。
【図９】本発明の一実施形態に係る浴室乾燥装置の開口カバーを示す斜視図である。
【図１０】本発明の一実施形態に係る浴室乾燥装置の開口カバーを示す図であり、（ａ）は平面図、（ｂ）は底面図である。
【図１１】本発明の一実施形態に係る浴室乾燥装置における開口カバーの固定部を示す側面断面図である。
【図１２】図１１におけるＥ部分拡大図である。
【図１３】本発明の一実施形態に係る浴室乾燥装置における開口カバーの係止片部を示す図である。
【図１４】本発明の一実施形態に係る浴室乾燥装置における本体ケーシングの位置決め構造を示す斜視断面図である。
【発明を実施するための形態】
【００２４】
本発明は、天井に形成された開口部に取り付けられる天井設置型空調装置の取付構造において、空調装置の装置本体を天井の開口部に取り付けるためのアダプタ部材の構造を工夫することにより、天井の下面からの出代を小さくすることができるとともに、様々な厚さの天井への対応を可能とし、しかも、室内側（下側）からの取付作業の作業性の向上を図ろうとするものである。以下、本発明の実施の形態を説明する。
【００２５】
以下に説明する本発明の実施の形態では、天井設置型空調装置の取付構造の適用例として、浴室乾燥装置の取付構造を例にとって説明する。つまり、本発明の実施の形態では、天井設置型空調装置として、浴室の天井に形成された開口部に取り付けられる浴室乾燥装置を例に挙げて説明する。ただし、本発明は、天井の開口部に設置される天井取付型空調装置の取付構造として広く適用することができる。したがって、本発明に係る天井設置型空調装置は、天井に設置される空調装置であれば特に限定されるものではなく、例えば、換気機能、乾燥機能、暖房機能、冷房機能等の少なくともいずれかの機能を有する空調装置等であってもよい。また、本発明に係る天井についても、浴室の天井に限らず、例えば、洗面室、トイレ、キッチン、居間等の天井であってもよい。
【００２６】
図１から図３に示すように、本実施形態の浴室乾燥装置１は、浴室の天井２に形成された開口部（以下「天井開口部」とする。）３に取り付けられる。天井２は、いずれも水平な上面（以下「天井上面」とする。）２ａおよび下面（以下「天井下面」とする。）２ｂを形成する水平な板状部材により構成されている。天井開口部３は、天井２をその板面に対して垂直方向に貫通する矩形状の開口を形成する部分である。天井開口部３は、矩形状の開口を形成する面として、天井２の板面に対して垂直な内側面３ａ，３ｂを有する。天井開口部３の開口形状である矩形状の短辺をなす内側面を内側面３ａとし、長辺をなす内側面を内側面３ｂとする。
【００２７】
本実施形態の浴室乾燥装置１は、装置本体４と、装置本体４に対する着脱が可能なフィルタ５と、装置本体４の下側に取り付けられる表面パネル６とを備える。浴室乾燥装置１は、装置本体４の全体を天井下面２ｂよりも上方に位置させた状態で、取付部材としての取付補強材７と、開口カバー８とが用いられて、天井開口部３に取り付けられる。
【００２８】
本実施形態の浴室乾燥装置１の取付構造においては、取付補強材７および開口カバー８が、装置本体４を天井開口部３に取り付けるためのアダプタ部材として機能する。アダプタ部材は、天井開口部３に取り付けられた状態で装置本体４の取付面を形成し、装置本体４は、アダプタ部材により形成された取付面に取り付けられる。つまり、浴室乾燥装置１は、取付補強材７および開口カバー８を介して、天井開口部３に間接的に取り付けられる。本実施形態では、取付補強材７により、装置本体４の取付面が形成される。
【００２９】
ここで、本実施形態の浴室乾燥装置１について、図４および図５を加えて説明する。なお、図４は、図２におけるＡ−Ａ矢視断面図に相当し、図５は、図２におけるＢ−Ｂ矢視断面図に相当する。浴室乾燥装置１の装置本体４は、筐体としての本体ケーシング１０を有する。本体ケーシング１０は、天井下面２ｂよりも上方に位置し、装置本体４の外装構造を構成する。
【００３０】
本体ケーシング１０は、全体として略直方体状の外形をなし、一面側を開放させて箱状に構成されている。本体ケーシング１０は、その平面視形状である略矩形状における長手方向および短手方向を天井開口部３の矩形状の開口形状に合わせるとともに、開放側を天井開口部３から下側に臨ませた状態で設けられる。したがって、本体ケーシング１０は、その略直方体状の箱外形における開放側を下側とし、開放側と反対側を上面側とする。以下の説明では、浴室乾燥装置１において、本体ケーシング１０の平面視形状である略矩形状における長手方向（図４における左右方向）を装置長手方向とし、同略矩形状における短手方向（図５における左右方向）を装置短手方向とする。
【００３１】
本体ケーシング１０は、その下端縁部に、矩形状の外周形状に沿って鍔状に突出するフランジ部１１を有する。フランジ部１１は、本体ケーシング１０の下側の開口端部において、本体ケーシング１０の平面視の矩形状の外形を囲むように、本体ケーシング１０の各側面から略板状の外形をなして突出した部分である。このようにフランジ部１１が設けられる本体ケーシング１０の下側に、表面パネル６が取り付けられる。
【００３２】
表面パネル６は、全体として略矩形板状の部材であり、本体ケーシング１０の開放側を塞ぐように取り付けられる。表面パネル６は、本体ケーシング１０のフランジ部１１を含む全体を覆うように本体ケーシング１０に取り付けられる。したがって、表面パネル６は、フランジ部１１の底面視の矩形状に対応して、その外形寸法と略同じ大きさの外形寸法を有する。
【００３３】
表面パネル６は、浴室乾燥装置１の下面部を構成する。表面パネル６は、装置本体４の下側に取り付けられた状態で、その下面６ａを、天井下面２ｂと略面一とする。また、表面パネル６は、天井開口部３から下側に臨む本体ケーシング１０の開放側に、本体ケーシング１０の全体を覆うように取り付けられる。このようにして、表面パネル６は、天井開口部３を下側から覆うように設けられる。
【００３４】
このように本体ケーシング１０および表面パネル６により構成される外装構造を有する浴室乾燥装置１は、機能的には、浴室内に温風を送り込む乾燥機能と、浴室内を換気する機能とを有する。浴室乾燥装置１は、吸込口１２から浴室内の空気を吸い込んで、吸い込んだ空気を加熱して温め、温めた空気を吹出口１３から浴室内に吹き出すことで、乾燥機能を発揮する。一方、浴室乾燥装置１は、浴室内を換気する際には、吸込口１２から吸い込んだ空気を、換気口１４から浴室外に送り出す。
【００３５】
図４および図５に示すように、浴室乾燥装置１において、本体ケーシング１０の内部には、空気の吸込みや吹出しを行うための送風ファン１５が設けられている。送風ファン１５は、多翼ファンであり、直方体状の本体ケーシング１０の内部において、装置長手方向の一側（図４において右側）寄りの位置に形成されたファン室１５ａ内に、回転軸方向を上下方向（鉛直方向）とするように設けられている。送風ファン１５は、その上側に配置されたファンモータ１６により回転駆動する。送風ファン１５は、その下側から空気を吸い込み、吸い込んだ空気を側方へと送り出す。
【００３６】
送風ファン１５の下側には、本体ケーシング１０内において風路を形成する風路形成部材１７が設けられている。風路形成部材１７は、その上側の面部において送風ファン１５が臨む円形状の開口１７ａを形成するとともに、下側を開放させた枠状ないし箱状の部材である。風路形成部材１７は、本体ケーシング１０内において、送風ファン１５と同様に装置長手方向の一側寄りの位置に装着されており、送風ファン１５の下側において、本体ケーシング１０の内壁面等とともに、吸込口１２から吸い込まれた空気を受け入れる吸気室１７ｂを区画形成する。
【００３７】
吸気室１７ｂは、風路形成部材１７の開口１７ａを介してファン室１５ａと連通している。吸気室１７ｂの下側の開放部、つまり風路形成部材１７の開放された下側の開口部が、吸込口１２から本体ケーシング１０内に吸い込まれた空気が流れ込む内部吸込口１８となる。
【００３８】
本体ケーシング１０内において、送風ファン１５の側方には、ダンパ１９が設けられている（図４参照）。ダンパ１９は、送風ファン１５に対して、装置長手方向の他側（図４において左側の側方に設けられている。ダンパ１９は、送風ファン１５を収容するファン室１５ａと内部吹出口２０を介して連通する送風空間１９ａ内に設けられている。
【００３９】
図４に示すように、ダンパ１９が設けられた送風空間１９ａの下側には、吹出口１３に連通する循環風路２１が設けられており、送風空間１９ａの内部吹出口２０側と反対側（図４において左側）には、換気口１４に連通する換気風路２２が設けられている。すなわち、送風ファン１５の下流側の風路は、内部吹出口２０から送風空間１９ａおよび循環風路２１を経て吹出口１３に連通する経路と、内部吹出口２０から送風空間１９ａおよび換気風路２２を経て換気口１４に連通する経路とに分岐しており、この２つの経路の分岐部分となる送風空間１９ａ内に、ダンパ１９が設けられている。
【００４０】
ダンパ１９は、内部吹出口２０から送り込まれる空気を、循環風路２１および換気風路２２のいずれかまたは両方に送り出すように、送風ファン１５の下流側における風路を切り替える。ダンパ１９は、回転式のロータリダンパであり、その回転位置により、循環風路２１および換気風路２２を塞いだり開放したりして風路を切り替える。
【００４１】
本実施形態の浴室乾燥装置１において、浴室側から本体ケーシング１０内に空気を吸い込む吸込口１２は、本体ケーシング１０の下側に取り付けられる表面パネル６と、その周囲に位置する開口カバー８との間に下側に開口するように形成された隙間として設けられ、吸気風路を構成する。したがって、吸込口１２は、下面視で矩形状の外形をなす表面パネル６の外形に沿って矩形状をなすスリット状の開口部となる。
【００４２】
また、本実施形態の浴室乾燥装置１において、本体ケーシング１０内から浴室へ空気を吹き出す吹出口１３は、ダンパ１９の下側に設けられた循環風路２１を下側に開口させるように、表面パネル６に設けられている。つまり、吹出口１３は、表面パネル６において、ダンパ１９の下方に対応する位置に設けられている。したがって、吹出口１３は、装置長手方向について送風ファン１５が位置する側と反対側（図４において左側）寄りの位置に設けられている。吹出口１３は、表面パネル６を貫通する矩形状の吹出開口部１３ａにグリル１３ｂを設けた構成となっている。
【００４３】
吹出口１３の上流側となる吹出口１３の上側に、空気を暖めるヒータ２３が配置されている（図４参照）。ヒータ２３は、吹出口１３の上側に設けられたヒータケース２４内に収容された状態で設けられている。
【００４４】
また、本実施形態の浴室乾燥装置１において、本体ケーシング１０内から浴室外へ空気を送り出す換気口１４は、ダンパ１９の側方に設けられた換気風路２２を本体ケーシング１０の側壁から側方外側に開口させる。換気口１４は、本体ケーシング１０の装置長手方向の他側（図４において左側）の側壁から突出する管状の部材により構成されている。換気口１４には、図示せぬ排気管が接続され、浴室外への排気経路が構成される。
【００４５】
以上のような構成において、ファンモータ１６によって送風ファン１５が回転することにより、浴室内の空気が、吸込口１２から本体ケーシング１０内に吸い込まれる。本体ケーシング１０内に吸い込まれた空気は、内部吸込口１８から吸気室１７ｂ内を経て開口１７ａを介してファン室１５ａに導かれ、送風ファン１５の回転によって内部吹出口２０側へ送り出される。
【００４６】
浴室乾燥装置１の動作モードが乾燥を行うモードの場合、ダンパ１９によって循環風路２１が開放され、内部吹出口２０から送り出された空気は、循環風路２１側に流れ、ヒータ２３により温められて吹出口１３から吹き出される。一方、浴室乾燥装置１の動作モードが換気を行うモードの場合、ダンパ１９によって換気風路２２が開放され、内部吹出口２０から送り出された空気は、換気風路２２側に流れ、換気口１４から送り出される。なお、乾燥を行うモードにおいても、適宜換気口１４への風路を確保するため、ダンパ１９によって換気風路２２が一部開放される。
【００４７】
このような空気の流れを形成する浴室乾燥装置１において、吸込口１２から吸い込まれた空気が入り込む内部吸込口１８を塞ぐように、フィルタ５が設けられている。フィルタ５は、全体として略矩形板状の部材であり、矩形状の開口をなす内部吸込口１８を下側から全体的に覆うように設けられている。
【００４８】
フィルタ５は、平面視において略矩形状の外形の長手方向が装置短手方向に沿うように、風路形成部材１７の下部に設けられた一対のフィルタレール部１７ｃに嵌め込まれることで、略矩形状の外形の短手方向の両側の縁部が風路形成部材１７に支持された状態で設けられる。一対のフィルタレール部１７ｃは、風路形成部材１７において装置長手方向に互いに対向する壁部に形成されており、装置長手方向を互いの対向方向として、かかる方向について対称に設けられている。フィルタレール部１７ｃは、もう一方のフィルタレール部１７ｃに対向する側（内側）、つまり吸気室１７ｂ側を開口側として断面略「コ」字状をなす溝状の部分である。フィルタレール部１７ｃは、装置短手方向となる長手方向の両側を開放させた貫通形状を有する。
【００４９】
フィルタレール部１７ｃは、全体としてアーチ状をなすように上側に凸な湾曲形状に沿って形成されている。したがって、フィルタ５は、一対のフィルタレール部１７ｃに嵌め込まれることで、長手方向を湾曲方向として、フィルタレール部１７ｃの湾曲形状に沿って、全体としてアーチ状をなすように湾曲した状態で設けられる。
【００５０】
フィルタレール部１７ｃは、装置短手方向について略対称なアーチ形状に沿って形成されており、装着状態のフィルタ５を装置短手方向について略対称なアーチ状に湾曲させる（図５参照）。このように、フィルタ５は、本体ケーシング１０内に設けられる風路形成部材１７に装着されることで、本体ケーシング１０の下側に装着される表面パネル６の上方の位置に設けられている。
【００５１】
フィルタ５は、装置本体４に対して着脱可能に設けられている。フィルタ５は、フィルタレール部１７ｃに対して差し込まれたり引き抜かれたりすることで着脱される。フィルタ５は、装置本体４に対する着脱の際に掴まれる取手部５ｂを有する。取手部５ｂは、矩形状のフィルタ本体部５ａの長手方向の一側の辺部から突出するように設けられている。
【００５２】
フィルタ５は、装置本体４に表面パネル６が取り付けられた状態で、装置本体４に対して着脱可能に構成されている。このため、取手部５ｂは、フィルタ５の装置本体４に対する装着状態で、表面パネル６の外側に突出して下側に露出する（図２、図５参照）。つまり、フィルタ５の装着状態において、取手部５ｂは、矩形状に沿う吸込口１２の一辺部において、下側から見て視認可能な位置に露出した状態にある。これにより、天井２の下側からのフィルタ５の着脱作業が容易に行われる。本実施形態では、取手部５ｂは、吸込口１２の装置短手方向の一側（図５において右側）の辺部において下側に露出している。
【００５３】
フィルタ５の装着に際しては、フィルタ５が、その取手部５ｂ側と反対側の端部から、フィルタレール部１７ｃに対してその端部の開放部から差し込まれる。フィルタ５は、フィルタレール部１７ｃの湾曲形状に沿って斜め上側に向けて差し込まれる。フィルタ５は、フィルタレール部１７ｃに差し込まれることで、フィルタレール部１７ｃの湾曲形状に倣って自動的にアーチ状に湾曲した形状で装着される。一方、フィルタ５の取外しに際しては、取手部５ｂを掴んで斜め下側にフィルタ５を引っ張り出すことで、フィルタレール部１７ｃに沿ってフィルタ５が取り出される。
【００５４】
フィルタ５は、装置本体４に対して、装置短手方向の両側からの着脱が可能となっている。すなわち、フィルタ５は、上記のとおり長手方向の両側を開放させたフィルタレール部１７ｃに対して、長手方向についての反転装着が可能となっている。本実施形態の浴室乾燥装置１では、図５に示すように、取手部５ｂが表面パネル６に対して装置短手方向の一側（図５において右側）に突出する向きでのフィルタ５の装着状態を標準装着状態とし、その反対の装着状態、つまり取手部５ｂが表面パネル６に対して装置短手方向の他側（図５において左側）に突出する向きでの装着状態を反転装着状態とする。
【００５５】
以上のような構成により装置本体４にフィルタ５が設けられた構成においては、送風ファン１５が回転することによって吸込口１２から吸い込まれた空気は、内部吸込口１８を覆うように装着されたフィルタ５を介して、吸気室１７ｂ内に流れ込むことになる。
【００５６】
以上のような構成を備える本実施形態の浴室乾燥装置１の天井開口部３に対する取付構造（以下「装置取付構造」という。）について、以下に説明する。本実施形態の装置取付構造は、浴室乾燥装置１の装置本体４を構成する本体ケーシング１０と、アダプタ部材としての取付補強材７および開口カバー８とを備える。本実施形態の装置取付構造によれば、本体ケーシング１０が、取付補強材７により天井２よりも上方に形成される取付面に固定されることで、装置本体４の全体が天井下面２ｂよりも上側に埋め込んだ態様で設けられる。
【００５７】
取付補強材７について説明する。図３、図６、および図７に示すように、取付補強材７は、全体として矩形枠状の部材であり、その枠状の形状について、天井開口部３の開口形状・寸法に対応した形状・寸法を有する。取付補強材７は、例えば鉄板等の金属板により構成された金属製の部材である。ただし、取付補強材７は、金属製に限らず、樹脂製の部材であってもよい。
【００５８】
取付補強材７は、矩形状の外形をなすとともに水平面に沿う天面部３１と、天面部３１の外縁部から天面部３１に対して直角状に形成された４つの縦壁部３２と、各縦壁部３２の下端部から縦壁部３２に対して直角状に形成された板状の鍔部３３とを有する。
【００５９】
天面部３１は、いずれも略平面である上面３１ａおよび下面３１ｂを有する略平面板状の部分である。天面部３１の上面３１ａが、取付補強材７の上面となる。天面部３１には、その矩形状の外形に沿う矩形状の開口３１ｃが形成されている。開口３１ｃにより、天面部３１は、矩形枠状の形状を有する平面部となる。
【００６０】
縦壁部３２は、取付補強材７の側壁部を構成する鉛直状の板状部分である。天面部３１の短辺側に設けられた縦壁部３２Ａと、天面部３１の長辺側に設けられた縦壁部３２Ｂとは、端部同士で接合されて略直角状をなす。つまり、４つの縦壁部３２は、隣り合う縦壁部３２Ａ，３２Ｂ同士で略直角状をなして接合されている。天面部３１および４つの縦壁部３２により、外形的には、下側開放の箱状の本体部分が構成され、天面部３１に開口３１ｃが形成された形態として、矩形枠状の形態が構成されている。
【００６１】
鍔部３３は、各縦壁部３２の下端部、つまり取付補強材７の開放側の縁端から取付補強材７の長手方向（図７（ｂ）における左右方向）および短手方向（図７（ｃ）における左右方向）それぞれの両外側に向けて折り曲げ形成された部分である。鍔部３３は、いずれも平面である上面３３ａおよび下面３３ｂを形成する板状部分である。鍔部３３は、取付補強材７の長手方向および短手方向に沿う帯板状に形成されている。
【００６２】
取付補強材７は、天面部３１、縦壁部３２、および鍔部３３により、長手方向を左右方向とする側面視（図７（ｂ）参照）、および短手方向を左右方向とする側面視（図７（ｃ）参照）それぞれにおいて、偏平なハット状の外形をなす。取付補強材７は、その長手方向および短手方向それぞれについて略対称な形状を有する。
【００６３】
全体として枠状に構成された取付補強材７に対して、その枠状の内側の開口縁部により形成される開口３１ｃに、本体ケーシング１０が貫通した状態で設けられる。取付補強材７の開口３１ｃは、本体ケーシング１０の平面視外形に沿うように、本体ケーシング１０の平面視の外形形状である矩形状と略同じ形状・寸法を有する。つまり、取付補強材７の開口３１ｃは、その内部に貫通させる本体ケーシング１０の外側面に対して全周にわたってわずかな隙間を隔てるように形成されている。
【００６４】
取付補強材７は、図１および図３に示すように、天井２よりも上方に位置する吊下支持部材としての吊ボルト４１および吊下げハンガー４２により支持された状態で設けられる。本実施形態では、取付補強材７は、４組の吊ボルト４１および吊下げハンガー４２によって吊下げ支持されている。４組の吊ボルト４１および吊下げハンガー４２は、本体ケーシング１０の略矩形状の平面視形状における４隅の近傍の位置に配置されている。
【００６５】
吊ボルト４１は、外周面にネジ面が形成された棒状のボルト部４１ａと、ボルト部４１ａに螺嵌される２つのナット４１ｂとを有する。吊ボルト４１は、ボルト部４１ａの上側の部分を、天井２の上方にある建物側の天井等の構造物（図示略）に固定させた状態で垂設される。２つのナット４１ｂは、ボルト部４１ａの下部に位置する。
【００６６】
吊下げハンガー４２は、略「Ｌ」字状に折り曲げ形成された板状部材であり、短冊状の本体部４２ａと、本体部４２ａの長手方向の一端側（上端側）にて本体部４２ａに対して直角状に形成された係止部４２ｂとを有する。係止部４２ｂには、本体部４２ａからの突出側である先端側を開放側とする切欠部４２ｃが形成されており、係止部４２ｂは、略「Ｕ」字状の形状を有する。
【００６７】
吊下げハンガー４２の上端部は、吊ボルト４１に固定される。吊下げハンガー４２は、係止部４２ｂ側を上側としながら本体部４２ａの長手方向を上下方向とし、係止部４２ｂを吊ボルト４１に係止固定させた状態で、吊ボルト４１に連結される。吊下げハンガー４２は、ボルト部４１ａの２つのナット４１ｂ間の部分に、切欠部４２ｃにより係止部４２ｂを係合させた状態で、吊ボルト４１に係止される。吊下げハンガー４２は、係止部４２ｂの部分がその上下のナット４１ｂによって挟持固定されることで、吊ボルト４１に固定される。ボルト部４１ａにおけるナット４１ｂの位置調整により、吊下げハンガー４２のボルト部４１ａに対する固定位置つまり高さ位置が調整される。
【００６８】
吊下げハンガー４２の下端部、つまり本体部４２ａの係止部４２ｂ側と反対側の端部は、取付補強材７に固定される。取付補強材７は、吊下げハンガー４２の下端部が固定される部分として、矩形板状の突片部である支持突片部３４を有する。支持突片部３４は、取付補強材７において、４組の吊ボルト４１および吊下げハンガー４２の配置位置に対応して４箇所に設けられている。
【００６９】
支持突片部３４は、取付補強材７の天面部３１における開口３１ｃの開口縁部に沿って形成されている。つまり、取付補強材７の上面視において、直線状に表れる板状の支持突片部３４は、その直線方向を開口３１ｃの開口縁部に沿わせるように設けられている。支持突片部３４は、取付補強材７の短手方向を板厚方向とし、取付補強材７の短手方向の両側の支持突片部３４は、板面を互いに対向させるように設けられている。したがって、上述のとおり取付補強材７の開口３１ｃが本体ケーシング１０の外側面に対して全周にわたってわずかな隙間を隔てるように形成された構成において、支持突片部３４は、本体ケーシング１０に対して装置短手方向の両側の側面に対向するように位置する。
【００７０】
このような支持突片部３４に対し、吊下げハンガー４２は、本体部４２ａの下端部を支持突片部３４の外側に重ねた状態で、ボルト等の締結具４３によって固定される。締結具４３は、互いに重なった状態の支持突片部３４および本体部４２ａの下端部を貫通し、これらを互いに固定させる。支持突片部３４には、締結具４３を貫通させる孔部３４ａが形成されている。
【００７１】
吊下げハンガー４２は、本体部４２ａからの係止部４２ｂの突出方向を本体ケーシング１０に対して外側に向けるように、つまり係止部４２ｂの突出方向が取付補強材７の短手方向の両外側を向くように、支持突片部３４に固定される。したがって、吊下げハンガー４２は、その本体部４２ａを、本体ケーシング１０の装置短手方向の両側の側面１０ａに沿わせた態様で支持突片部３４に固定される。なお、吊下げハンガー４２は、取付補強材７に取り付けられた状態の本体ケーシング１０の高さ寸法と略同じ長さを有する。
【００７２】
このように、取付補強材７は、４箇所の支持突片部３４それぞれにおいて吊下げハンガー４２の下端部の連結を受け、４組の吊ボルト４１および吊下げハンガー４２により吊下げ支持される。かかる支持構成によれば、各吊ボルト４１において係止部４２ｂを上下から挟む２つのナット４１ｂのボルト部４１ａに対する位置調整により、吊下げハンガー４２を介して取付補強材７の高さ位置が調整される。
【００７３】
なお、本実施形態では、取付補強材７を吊下げ支持する吊下支持部材として、吊ボルト４１および吊下げハンガー４２が用いられているが、これに限定されるものではない。吊下支持部材としては、取付補強材７を吊下げ支持することができるものであれば、その支持態様等は限定されない。取付補強材７の支持構造としては、例えば、天井２の上側に井桁等の支持部を設け、この支持部から吊下げハンガー４２等の支持部材を垂設した構成等であってもよい。また、取付補強材７の吊下げ支持部の数や配置位置についても本実施形態に限定されず適宜設定される。
【００７４】
取付補強材７は、本体ケーシング１０を所定の取付位置に支持する。取付補強材７は、天井２よりも上方の位置に、本体ケーシング１０の取付面を形成し、この取付面に本体ケーシング１０を固定支持させることで、本体ケーシング１０を支持する。
【００７５】
本実施形態では、本体ケーシング１０の取付面は、取付補強材７の天面部３１により形成される。すなわち、本実施形態において、天面部３１は、天井下面２ｂよりも上方の位置に本体ケーシング１０の取付面を形成する水平部に相当する。天面部３１の下面３１ｂが、本体ケーシング１０の取付面となる。また、本実施形態の取付補強材７においては、縦壁部３２が、天面部３１の外周端部から鉛直方向下向きに延出し、天井開口部３の縁に沿う鉛直部に相当し、鍔部３３が、縦壁部３２の下端部から外周方向に張り出して形成される張出部に相当する。
【００７６】
そして、取付補強材７は、鍔部３３の上面３３ａが天井下面２ｂに接触するように吊ボルト４１および吊下げハンガー４２により支持される。具体的には次のとおりである。
【００７７】
取付補強材７は、鍔部３３を天井２に対して下側から接触させた状態、つまり鍔部３３の上面３３ａを天井下面２ｂに接触させた状態で、天井２に支持される。また、取付補強材７は、上記のとおり天面部３１および４つの縦壁部３２により構成される下側開放の箱状の本体部分の上側の過半部分を、天井２よりも上側に位置させる。すなわち、縦壁部３２の高さは、天井２の厚さよりも十分に大きく、鍔部３３が天井２に下側から接触した状態において、取付補強材７は、その上側の大部分を天井開口部３を介して天井２の上側に突出させた状態で支持される。
【００７８】
このように、取付補強材７は、箱状の本体部分を天井２に対して下側から天井開口部３に貫通させるとともに、鍔部３３を天井２の天井下面２ｂ側に係止させた状態で設けられる。したがって、平面視において、取付補強材７の箱状の本体部分の外形寸法は、天井開口部３を貫通できるように天井開口部３の開口寸法よりも小さく、取付補強材７の鍔部３３を含む外形寸法は、天井開口部３の開口寸法よりも大きい。ここで、取付補強材７の本体部分の外形寸法は、天井開口部３の開口寸法と略同じであり、取付補強材７の本体部分が天井開口部３に貫通した状態において、縦壁部３２の外側の側面３２ａと天井開口部３の内側面３ａ，３ｂとの間には微小な隙間が形成される。
【００７９】
取付補強材７は、吊ボルト４１および吊下げハンガー４２により吊下げ支持された状態で、本体部分を天井開口部３から上方に突出させるとともに鍔部３３を天井下面２ｂに接触させる。すなわち、ボルト部４１ａに対するナット４１ｂの位置調整により、鍔部３３が天井下面２ｂに接触するように、取付補強材７の高さ位置が調整される。言い換えると、取付補強材７は、吊ボルト４１および吊下げハンガー４２によって上方に引き上げられる作用を得ながら鍔部３３を天井下面２ｂに係止させた態様で支持される。以上のように、取付補強材７は、鍔部３３が接触する天井下面２ｂを支持面として、吊ボルト４１および吊下げハンガー４２による支持を受ける。
【００８０】
そして、天井開口部３を介する取付補強材７の天井２からの上側への突出部分の上面部となる天面部３１が、本体ケーシング１０の支持部であって、天井２よりも上方の位置に本体ケーシング１０の取付面を形成する部分となる。すなわち、略水平面部となる天面部３１の下面３１ｂが、天井２よりも上方に位置し、本体ケーシング１０の取付面として用いられる。
【００８１】
このように取付補強材７によって天井２よりも上方に形成された取付面に対して、本体ケーシング１０が取り付けられる。本体ケーシング１０は、天面部３１に対して下側から上側に向かって締結される締結部材としての固定用ネジ４５により取付補強材７に固定される。具体的には次のとおりである。
【００８２】
本体ケーシング１０は、その下端縁部に有するフランジ部１１を、取付補強材７の天面部３１に対して下側から接触させた状態、つまりフランジ部１１の上面１１ａを天面部３１の下面３１ｂに接触させた状態で、天面部３１に固定される。また、本体ケーシング１０は、下側開放の箱状の本体部分の略全体を、取付補強材７（天面部３１）よりも上側に位置させる。すなわち、フランジ部１１が天面部３１に下側から接触した状態において、本体ケーシング１０は、その略全体を天面部３１の開口３１ｃを介して取付補強材７の上側に突出させた状態で取付補強材７に固定される。
【００８３】
このように、本体ケーシング１０は、箱状の本体部分を取付補強材７の天面部３１に対して下側から開口３１ｃに貫通させるとともに、フランジ部１１を天面部３１の下面３１ｂ側に係止させた状態で設けられる。したがって、平面視において、本体ケーシング１０の箱状の本体部分の外形寸法は、開口３１ｃを貫通できるように開口３１ｃの開口寸法よりも小さく、本体ケーシング１０のフランジ部１１を含む外形寸法は、開口３１ｃの開口寸法よりも大きい。ここで、本体ケーシング１０の本体部分の外形寸法は、開口３１ｃの開口寸法と略同じであり、本体ケーシング１０の本体部分が開口３１ｃに貫通した状態において、本体ケーシング１０の外側の側面と天面部３１の開口縁端との間にはわずかな隙間が形成される。
【００８４】
本体ケーシング１０を取付補強材７の天面部３１に固定する固定用ネジ４５は、天面部３１と、天面部３１に対して下側から重なったフランジ部１１の上面部１１ｂとを、下側から上側に向かって貫通するようにねじ込まれる。詳細には、図８に示すように、フランジ部１１の上面部１１ｂには、固定用ネジ４５を貫通させる貫通孔１１ｄが形成されており、取付補強材７の天面部３１には、固定用ネジ４５が螺合するネジ孔３１ｄが形成されている。そして、固定用ネジ４５は、ワッシャ４６を介して貫通孔１１ｄを貫通するとともに、ネジ孔３１ｄに螺合してねじ込まれる。つまり、固定用ネジ４５は、締結された状態において、頭部４５ａを、ワッシャ４６を介して上面部１１ｂの下面１１ｃに接触させるとともに、上面部１１ｂおよび天面部３１を貫通し、ネジ部４５ｂを天面部３１の上面３１ａから突出させる。
【００８５】
このように固定用ネジ４５がフランジ部１１および天面部３１に対して下側からねじ込まれて締結されることにより、フランジ部１１が天面部３１に固定される。以上のように、本体ケーシング１０は、下側から螺挿される固定用ネジ４５によってフランジ部１１が天面部３１に締結固定されることにより、取付補強材７に固定される。
【００８６】
本実施形態では、固定用ネジ４５によるフランジ部１１の天面部３１に対する固定部は、天面部３１の開口３１ｃの開口縁部の近傍の位置にて複数箇所に設けられている。天面部３１には、開口３１ｃの開口縁部に沿うように長手状の長手凹部３１ｅが形成されており、この長手凹部３１ｅにおける所定の位置に、固定用ネジ４５が螺合するネジ孔３１ｄが穿設されている。
【００８７】
本実施形態では、図７（ａ）に示すように、開口３１ｃの長手方向に沿う長手凹部３１ｅにおいては、それぞれ３箇所のネジ孔３１ｄが設けられており、開口３１ｃの短手方向に沿う長手凹部３１ｅにおいては、それぞれ２箇所のネジ孔３１ｄが設けられている。フランジ部１１においては、これらの長手凹部３１ｅに対応する位置に、貫通孔１１ｄが形成されている。そして、これらのネジ孔３１ｄのうち、適宜全部または一部のネジ孔３１ｄおよび貫通孔１１ｄが、固定用ネジ４５による本体ケーシング１０の固定に用いられる。本実施形態では、開口３１ｃの長辺側に設けられた３箇所のネジ孔３１ｄのうちの両端側に位置する２箇所のネジ孔３１ｄと、開口３１ｃの短辺側に設けられた２箇所のネジ孔３１ｄのうちの１箇所のネジ孔３１ｄとの計６箇所のネジ孔３１ｄが用いられ、６本の固定用ネジ４５によって本体ケーシング１０が取付補強材７に固定されている（図１参照）。
【００８８】
以上のような固定用ネジ４５による本体ケーシング１０の取付補強材７に対する固定構造については、天面部３１に対して下側から上側に向かって締結される締結部材により本体ケーシング１０を取付補強材７に固定する構造であれば、本実施形態に限定されず、種々の構造を採用することができる。本実施形態では、フランジ部１１に貫通孔１１ｄが形成され、天面部３１にネジ孔３１ｄが形成されているが、例えば、ネジ孔３１ｄを単なる貫通孔として固定用ネジ４５の天面部３１からの突出部分にナットを螺合させる構造であってもよい。また、締結部材としては、固定用ネジ４５のほか、例えば固定用のピンが用いられてもよい。また、固定用ネジ４５による固定部の数や配置位置についても本実施形態に限定されず適宜設定される。
【００８９】
開口カバー８について説明する。図３、図９および図１０に示すように、開口カバー８は、全体として矩形枠状の部材であり、その枠状の形状について、天井開口部３の開口形状・寸法に対応した形状・寸法を有する。開口カバー８は、樹脂製の部材である。ただし、開口カバー８は、樹脂製に限らず、金属製の部材であってもよい。
【００９０】
開口カバー８は、全体としての矩形枠状の形状を構成する部分として、開口カバー８の長手方向（図１０（ａ）、（ｂ）における左右方向）に沿う一対の長手辺部５１と、開口カバー８の短手方向（同図における上下方向）に沿う一対の短手辺部５２とを有する。開口カバー８は、枠状の外形に沿って形成された上面部５０を有する。上面部５０は、長手辺部５１および短手辺部５２に共通の略水平面である上面５０ａを形成する。上面部５０には、その矩形状の外形に沿う矩形状の開口５０ｃが形成されている。
【００９１】
開口カバー８は、上面部５０の外縁側から下側に枠状に形成された枠壁部を有し、この枠壁部および上面部５０によって、下側開放の箱状の本体部分を構成する。つまり、上面部５０およびその下側の枠壁部により、外形的には、下側開放の箱状の本体部分が構成され、上面部５０に開口５０ｃが形成された形態として、矩形枠状の形態が構成されている。
【００９２】
開口カバー８は、その下側の開放側の縁端から開口カバー８の矩形状の外形に沿って鍔状に突出した爪部５３を有する。爪部５３は、開口カバー８の矩形状の外形に沿って全周にわたって形成されており、平面視で枠状の形状に沿う形状を有する。開口カバー８は、その長手方向を左右方向とする側面視（図４参照）、および短手方向を左右方向とする側面視（図５参照）それぞれにおいて、偏平なハット状の外形をなす。開口カバー８、その長手方向および短手方向それぞれについて略対称な形状を有する。
【００９３】
開口カバー８は、取付補強材７の下側に設けられ、上面部５０の開口５０ｃに本体ケーシング１０の本体部分を貫通させる。開口カバー８の開口５０ｃは、取付補強材７の開口３１ｃよりも一回り大きく、開口端面を、開口３１ｃの開口端面よりも開口カバー８の外周側に位置させる。詳細には、開口カバー８の開口５０ｃの開口端面は、上述したように取付補強材７においてネジ孔３１ｄが形成される部分であって開口３１ｃの開口縁部に沿うように形成された長手凹部３１ｅよりもわずかに外側に位置させる（図１１参照）。
【００９４】
開口カバー８を構成する長手辺部５１および短手辺部５２は、いずれも、上面部５０の外側において上面５０ａに対して下側に位置する段差面５４ａ，５５ａを形成する段差部５４，５５を有する。すなわち、開口カバー８の短手方向の左右両外側において、長手辺部５１の長手方向に沿って段差部５４が形成され、開口カバー８の長手方向の左右両側において、短手辺部５２の長手方向に沿って段差部５５が形成されている。
【００９５】
また、開口カバー８は、段差部５４，５５の外縁部から段差部５４，５５に対して直角状に形成された垂直面部５６を有する。垂直面部５６の下端部から垂直面部５６に対して直角状に爪部５３が延出している。
【００９６】
このように長手辺部５１および短手辺部５２について共通の上面５０ａを形成する上面部５０と、長手辺部５１および短手辺部５２それぞれの段差部５４，５５と、垂直面部５６と、爪部５３とを有する開口カバー８は、長手辺部５１および短手辺部５２のそれぞれについて、内縁側（開口５０ｃ側）から外縁側（爪部５３側）にかけて下る階段状の形状を有する。
【００９７】
開口カバー８は、天井開口部３の縁に沿って取付補強材７を下側から覆う。開口カバー８は、取付補強材７の少なくとも天面部３１の外周側の部分、縦壁部３２、および鍔部３３を下側から覆うように設けられる。
【００９８】
開口カバー８は、取付補強材７の内縁側については、上述したように、開口５０ｃの開口端面を、開口カバー８の天面部３１における長手凹部３１ｅよりもわずかに外側に位置させる。一方、開口カバー８は、取付補強材７の外縁側については、爪部５３により、鍔部３３の全体を下側から覆った状態となる。また、開口カバー８は、垂直面部５６を取付補強材７の縦壁部３２の内側に沿うように縦壁部３２に対向させる。開口カバー８は、断面視において略「Ｌ」字状をなす取付補強材７の縦壁部３２および鍔部３３に対して、これらと同様に断面視において略「Ｌ」字状をなす垂直面部５６および爪部５３を内側および下側から沿わせた態様で、取付補強材７の各部を下側から覆う。
【００９９】
このように、取付補強材７に対して下側から重なる態様で設けられる開口カバー８は、天面部３１の開口３１ｃの開口縁部を除いた外周側の大部分、縦壁部３２、および鍔部３３を、天井開口部３の枠形状に沿って全体的に覆った状態で設けられる。ただし、取付補強材７の内縁側については、開口カバー８により、開口５０ｃの開口端面を、開口３１ｃの開口端面と略同じ位置、あるいは開口３１ｃの開口端面よりも内側に位置させ、天面部３１の全体を覆う構成であってもよい。
【０１００】
開口カバー８の爪部５３について説明する。爪部５３は、上述したように天井下面２ｂに接触した状態の取付補強材７の鍔部３３の全体を下側から覆う。したがって、爪部５３は、天井開口部３の開口形状に沿って天井下面２ｂ側に枠状に露出した部分となる（図２参照）。つまり、爪部５３は、天井２の下側において、天井開口部３をその開口形状に沿って縁取る態様となる。
【０１０１】
爪部５３は、鍔部３３を下側から覆う被覆面部６１と、被覆面部６１の外周縁部から立ち上がり天井下面２ｂに接触する当接壁部６２とを含む。被覆面部６１および当接壁部６２は、開口カバー８の下端部において全周にわたって形成され、爪部５３を構成する。
【０１０２】
被覆面部６１は、開口カバー８において、垂直面部５６の下端部から横方向かつ外側に延出する部分であり、断面視において垂直面部５６とともに略「Ｌ」字状をなす板状部分である。被覆面部６１は、取付補強材７の縦壁部３２の内側に位置する垂直面部５６の下端部から、鍔部３３よりも外側（図１１において右側）の位置まで延出され、鍔部３３の全体を下側から覆う。
【０１０３】
当接壁部６２は、被覆面部６１の垂直面部５６からの延出先端側の端部から上側に屈曲形成された部分であり、断面視において被覆面部６１とともに略「Ｌ」字状をなす板状部分である。当接壁部６２は、開口カバー８の垂直面部５６と略平行であって垂直面部５６に対して十分に低い壁面部である。当接壁部６２は、その上面６２ａを天井２に対する接触面とする。つまり、開口カバー８は、当接壁部６２の上面６２ａを天井下面２ｂに接触させた状態で設けられる。
【０１０４】
このような爪部５３を有する開口カバー８は、取付補強材７の天面部３１に対して下側から上側に向かって締結される締結部材としての第２固定用ネジ６５により取付補強材７に固定される。具体的には次のとおりである。
【０１０５】
開口カバー８は、第２固定用ネジ６５による固定部として、複数のボス部５８を有する。ボス部５８は、開口カバー８を構成する長手辺部５１および短手辺部５２のそれぞれにおいて、外周側の段差面５４ａ，５５ａから上方に向けて突出するように設けられている。
【０１０６】
本実施形態において、長手辺部５１に設けられたボス部５８Ａは、段差面５４ａから円筒状に突出する部分として設けられている。各長手辺部５１において、ボス部５８Ａは、長手辺部５１の長手方向の両端部および中央部の３箇所に設けられている。また、短手辺部５２に設けられたボス部５８Ｂは、段差面５５ａ上において、上面５０ａと段差面５５ａとの間の垂直状の壁面５５ｂから半円筒状に突出する部分として設けられている。各短手辺部５２において、ボス部５８Ｂは、短手辺部５２の長手方向の中央部の１箇所に設けられている。このように、開口カバー８は、各長手辺部５１に３箇所ずつ、各短手辺部５２に１箇所ずつ、合計で８箇所にボス部５８を有する。
【０１０７】
図１１に示すように、ボス部５８は、上端面５８ａを形成する上面部５８ｂを有する下側開放の中空状の部分である。ボス部５８の上端面５８ａは、開口カバー８の上面５０ａと同一平面上に位置する。取付補強材７の下側に設けられる開口カバー８は、上面５０ａおよびボス部５８の上端面５８ａを天面部３１の下面３１ｂに接触させた状態で、第２固定用ネジ６５によって取付補強材７に固定される。
【０１０８】
開口カバー８を取付補強材７の天面部３１に固定する第２固定用ネジ６５は、天面部３１と、天面部３１に対して下側から重なったボス部５８の上面部５８ｂとを、下側から上側に貫通するようにねじ込まれる。詳細には、ボス部５８の上面部５８ｂには、第２固定用ネジ６５を貫通させる貫通孔５８ｃが形成されており、取付補強材７の天面部３１には、第２固定用ネジ６５が螺合するネジ孔３１ｆが形成されている。そして、第２固定用ネジ６５は、貫通孔５８ｃを貫通するとともに、ネジ孔３１ｆにねじ込まれる。つまり、第２固定用ネジ６５は、締結された状態において、頭部６５ａを、上面部５８ｂの下面５８ｄに接触させるとともに、上面部５８ｂおよび天面部３１を貫通し、ネジ部６５ｂを天面部３１の上面３１ａから突出させる。
【０１０９】
このように第２固定用ネジ６５がボス部５８および天面部３１に対して下側からねじ込まれて締結されることにより、ボス部５８が天面部３１に固定される。以上のように、開口カバー８は、下側から螺挿される第２固定用ネジ６５によってボス部５８が天面部３１に締結固定されることにより、取付補強材７に固定される。
【０１１０】
本実施形態では、第２固定用ネジ６５によるボス部５８の天面部３１に対する固定部は、上述のとおり各長手辺部５１に３箇所ずつ、各短手辺部５２に１箇所ずつ計８箇所に設けられている。取付補強材７の天面部３１において、第２固定用ネジ６５による固定部、つまり第２固定用ネジ６５が貫通するネジ孔３１ｆは、固定用ネジ４５が貫通するネジ孔３１ｄよりも外縁側の位置であって天面部３１の外縁部近傍に設けられている。
【０１１１】
以上のような第２固定用ネジ６５による開口カバー８の取付補強材７に対する固定構造については、固定用ネジ４５による固定構造と同様に、天面部３１に対して下側から上側に向かって締結される締結部材により開口カバー８を取付補強材７に固定する構造であれば、本実施形態に限定されず、種々の構造を採用することができる。
【０１１２】
このように複数の第２固定用ネジ６５によって取付補強材７と開口カバー８とが互いに固定される構成において、開口カバー８の爪部５３を構成する被覆面部６１と取付補強材７の鍔部３３との間には隙間６６が形成されている。すなわち、図１２に示すように、隙間６６は、上面３３ａを天井下面２ｂに接触させた状態の鍔部３３の下面３３ｂと、鍔部３３を下側から覆う被覆面部６１の上面６１ａとの間に形成されている（矢印Ｄ１参照）。
【０１１３】
天井２の天井開口部３を形成する開口縁部の下側（天井下面２ｂ側）には、天井下面２ｂと爪部５３とにより偏平枠状の空間６７が形成される。すなわち、天井下面２ｂと被覆面部６１の上面６１ａとの間には、上面６２ａを天井下面２ｂに当接させる当接壁部６２が被覆面部６１の上面６１ａから上側に突出していることで、天井下面２ｂと爪部５３との間に空間６７が形成され、この空間６７の上下方向の寸法が、鍔部３３の板厚寸法よりも大きく、鍔部３３と被覆面部６１との間に隙間６６が形成される。したがって、被覆面部６１の上面６１ａからの当接壁部６２の突出寸法は、少なくとも鍔部３３の板厚寸法よりも大きいことになる。なお、被覆面部６１の上面６１ａには、上述の空間６７内において被覆面部６１上に装着されるパッキン（図示略）の位置決め用の突条部６１ｃが形成されている。
【０１１４】
また、開口カバー８の爪部５３の下面となる被覆面部６１の下面６１ｂは、爪部５３の内周端部側から外周端部側にかけて天井２側に近付くように傾斜した傾斜面となっている。すなわち、被覆面部６１の下面６１ｂは、開口カバー８の外周縁側となる当接壁部６２側（図１２において右側）から、開口カバー８の内周縁側となる垂直面部５６側（図１２において左側）にかけて下るように傾斜している（矢印Ｄ２参照）。したがって、図１２に示すように、被覆面部６１の下面６１ｂは、直線Ｄ３で示す水平面に対して所定の傾斜角度αをもって開口カバー８の内縁側下がりに傾斜している。
【０１１５】
本実施形態では、互いに略平行な上面６１ａおよび下面６１ｂを有する板状の被覆面部６１が全体的に傾斜することで、下面６１ｂが上述のとおり傾斜している。一方、隙間６６を形成する鍔部３３の下面３３ｂは、天井下面２ｂに沿って略水平である。このため、鍔部３３の下面３３ｂと被覆面部６１の上面６１ａとの間の隙間６６の寸法（上下方向の寸法）については、開口カバー８の内縁側よりも外縁側の方が小さくなっている。
【０１１６】
以上のような爪部５３の傾斜構造によれば、次のような作用が得られる。開口カバー８は、上述したような第２固定用ネジ６５による締結固定が行われることで、爪部５３よりも内側に位置するボス部５８において、取付補強材７側に押し付けられる方向の作用を受ける（図１１、矢印Ｆ１参照）。開口カバー８が取付補強材７の下側にセットされ第２固定用ネジ６５による締結作用を受けていない開口カバー８の自然状態において、当接壁部６２の上面６２ａは、天井下面２ｂに接触し、第２固定用ネジ６５が貫通するボス部５８の上端面５８ａと取付補強材７の天面部３１の下面３１ｂとの間には、隙間（締め代）が存在する。
【０１１７】
そして、第２固定用ネジ６５を締め付けて開口カバー８を取付補強材７に締結することにともない、ボス部５８の上端面５８ａが取付補強材７の天面部３１の下面３１ｂに接触する。すなわち、ボス部５８の上側において天面部３１との間に締め代が存在することにより、第２固定用ネジ６５の締付けの作用によって、当接壁部６２の上面６２ａを天井下面２ｂに接触させた状態の開口カバー８は、爪部５３よりも内縁側の部分が持ち上がるように撓んで変形する（図１２、矢印Ｆ２参照）。
【０１１８】
言い換えると、開口カバー８は、第２固定用ネジ６５による取付補強材７に対する固定に関し、当接壁部６２の上面６２ａが天井下面２ｂに接触することで外周側の端部の上方への移動が規制された状態で、第２固定用ネジ６５が締め付けられることにより、天面部３１との間に隙間を有するボス部５８が存在する、爪部５３よりも内側の部分が上昇変形するように構成されている。このような構成は、当接壁部６２の上面６２ａを確実に天井下面２ｂに接触させて開口カバー８の外周縁部を天井下面２ｂに密着させることに寄与する。
【０１１９】
このような開口カバー８の固定構造において、上述したように被覆面部６１の下面６１ｂが傾斜していることにより、第２固定用ネジ６５の締付けにともなって、開口カバー８の自然状態での下面６１ｂの傾斜が軽減され、水平面に近付くことになる。すなわち、上述したような開口カバー８の爪部５３よりも内側の部分が持ち上がるような変形によれば、爪部５３は、天井下面２ｂに接触する当接壁部６２の部分を基点として被覆面部６１が内縁側から持ち上がるように変形し、被覆面部６１の傾斜が軽減されることになる。そこで、開口カバー８の自然状態において被覆面部６１について傾斜を設けることで、開口カバー８が第２固定用ネジ６５による締結の作用を受けた状態において、被覆面部６１の特に下面６１ｂが略水平となるような構成が採用される。
【０１２０】
したがって、被覆面部６１の下面６１ｂの傾斜角度αは、第２固定用ネジ６５の締付けにともなう開口カバー８の変形量が考慮され、第２固定用ネジ６５を締め付けた状態で被覆面部６１の下面６１ｂが略水平ないし水平となるような角度に設定される。被覆面部６１の下面６１ｂの傾斜角度αは、特に限定されるものではないが、例えば３〜５°程度である。
【０１２１】
また、本実施形態の装置取付構造においては、開口カバー８と取付補強材７との関係について、開口カバー８には、取付補強材７の天面部３１を下側から上側に向けて貫通して開口カバー８を取付補強材７に係止させる仮固定用の係止片部７０が設けられている。係止片部７０は、開口カバー８を構成する材料の弾性を利用したいわゆるスナップフィットの態様で取付補強材７に係合し、開口カバー８を取付補強材７に仮固定させるための形状部分である。
【０１２２】
図９に示すように、係止片部７０は、開口カバー８を構成する短手辺部５２において、開口３１ｃの開口縁部の近傍の位置に、上面５０ａから上方に向けて突設されている。本実施形態の開口カバー８において、係止片部７０は、各短手辺部５２の長手方向の両側の端部近傍に２箇所ずつ、計４箇所に設けられている。
【０１２３】
係止片部７０の詳細について、図１３を用いて説明する。図１３（ａ）〜（ｂ）に示すように、係止片部７０は、開口カバー８の長手方向を板厚方向とする矩形板状の基部７１と、基部７１に対して開口カバー８の内周側に設けられる係止板部７２と、基部７１に対して係止板部７２側と反対側の板面に設けられるガイド板部７３とを有する。係止片部７０は、係止板部７２の部分の弾性変形を利用し、取付補強材７の天面部３１に係合する。
【０１２４】
基部７１は、水平面部となる上面部５０に対して略垂直な矩形板状の突片部であり、開口カバー８の上面部５０における開口５０ｃの開口縁部に沿って形成されている。したがって、基部７１は、断面視において、上面部５０とともに略「Ｌ」字状をなす。
【０１２５】
係止板部７２は、基部７１に対して上端部同士を繋げた状態で設けられる板状部分であり、基部７１の内側の板面７１ａに対して所定の隙間を隔てるように形成されている。つまり、基部７１と係止板部７２とは、上端部同士を繋げるとともに下側を開放させた互いに対向する板状部分である。係止板部７２は、基部７１の板面７１ａとの間の隙間を、基部７１に対する弾性変形の変形代とする。係止片部７０は、取付補強材７に対する係合の過程で、係止板部７２が基部７１に近付くことで自然状態における基部７１と係止板部７２との間の隙間を小さくするように弾性変形する。
【０１２６】
係止板部７２は、基部７１側と反対側の面の上部に、第１ガイド斜面７２ａを有する。第１ガイド斜面７２ａは、係止片部７０の上側から下側にかけて基部７１側から遠ざかるように傾斜している。また、係止板部７２は、第１ガイド斜面７２ａの下端から基部７１側に形成された係止面７２ｂを有する。係止面７２ｂは、第１ガイド斜面７２ａを形成する係止板部７２の上側の部分に対する下側の部分の段差を形成する面である。係止面７２ｂは、下側を向く略水平面であり、係止片部７０の側面視において第１ガイド斜面７２ａとともに鋭角をなす（図１３（ｃ）参照）。
【０１２７】
ガイド板部７３は、基部７１の外側の板面７１ｂにおいて突設された板状部分である。ガイド板部７３は、基部７１の左右幅方向の両側の縁部近傍の２箇所に設けられている。ガイド板部７３は、その上部において、第１ガイド斜面７２ａとは対称的な第２ガイド斜面７３ａを有する。すなわち、第１ガイド斜面７２ａと第２ガイド斜面７３ａとは、係止片部７０の下側から上端部に向けて互いに近付くように傾斜しており、係止片部７０の側面視において、基部７１と第１ガイド斜面７２ａおよび第２ガイド斜面７３ａとは、上側の方向を指す略矢印状の形状をなす（図１３（ｃ）参照）。つまり、第１ガイド斜面７２ａと第２ガイド斜面７３ａとは、基部７１側を中心側とする下広がりの傾斜面となる。
【０１２８】
このように開口カバー８に設けられた係止片部７０に対し、取付補強材７の天面部３１においては、４箇所の係止片部７０に対応する位置に、係止孔部３１ｇが形成されている。係止孔部３１ｇは、係止片部７０の平面視での外形形状に対応する矩形状の開口を形成する。開口カバー８は、係止片部７０を係止孔部３１ｇに下側から挿入して係止板部７２の弾性変形をともなって天面部３１を貫通させることで、係止片部７０により取付補強材７に係止支持された状態となる。
【０１２９】
具体的には、係止片部７０が、その先端側（上端側）から係止孔部３１ｇに対して下側から挿入されることにより、第１ガイド斜面７２ａおよび第２ガイド斜面７３ａが係止孔部３１ｇの開口端面に接触する。かかる状態で、開口カバー８が取付補強材７に対して押し付けられること等によって係止片部７０が天面部３１を貫通する方向に進むことで、第１ガイド斜面７２ａおよび第２ガイド斜面７３ａのガイド作用によって、係止板部７２が基部７１側に押される押圧作用を受けて基部７１側に近付くように弾性変形する。そして、天面部３１に対する係止片部７０の相対移動が進み、天面部３１を貫通した係止片部７０の係止面７２ｂが天面部３１よりも上方の位置に達することで、係止孔部３１ｇの開口端面からの係止板部７２に対する押圧作用が解除され、弾性変形した状態の係止板部７２が自然状態に復帰する。これにより、係止片部７０が天面部３１に係止された状態となる。かかる状態においては、係止片部７０は、係止面７２ｂを取付補強材７の天面部３１の上面３１ａに対向させる。
【０１３０】
このように、開口カバー８は、４箇所の係止片部７０を係止孔部３１ｇにより天面部３１に係止させることで、取付補強材７に仮固定（仮止め）された状態となる。一方、係止片部７０による開口カバー８の仮固定状態を解除する際には、天面部３１を貫通した状態の係止片部７０の係止板部７２を押圧して変形させて基部７１に近付け、係止面７２ｂを係止孔部３１ｇの開口の内側に位置させることで、係止片部７０を係止孔部３１ｇから下側に引き抜くことが可能となる。
【０１３１】
以上のような開口カバー８の取付補強材７に対する係止構造において、天面部３１を貫通させる係止片部の形状等については、本実施形態に限定されず、種々の構造を採用することができる。つまり、開口カバー８に設けられる係止片部としては、いわゆるスナップフィットの態様で取付補強材７に係合し、開口カバー８を取付補強材７に仮固定させるための形状部分であれば、その形状等は特に限定されない。また、係止片部７０による係止部の数や配置位置についても本実施形態に限定されず適宜設定される。
【０１３２】
また、本実施形態の装置取付構造においては、開口カバー８と本体ケーシング１０との関係について、開口カバー８には、下方に向けて突出し、本体ケーシング１０に嵌合することで開口カバー８に本体ケーシング１０を位置決めさせる嵌合突部８０が設けられている。嵌合突部８０は、開口カバー８の上面部５０から下方に向けて突出する突起状の部分であり、本体ケーシング１０のフランジ部１１に嵌合することで、開口カバー８と本体ケーシング１０とを互いに水平方向（天井面方向）について位置決めする位置ずれ防止用のボスとして機能する。
【０１３３】
図９および図１０に示すように、嵌合突部８０は、開口カバー８を構成する短手辺部５２において、開口３１ｃの開口縁部から水平状に突出する突片部８１から下方に向けて突設されている。突片部８１は、開口３１ｃの開口縁部から開口カバー８の内側に向けて突出する略矩形状の突片部分であり、上面５０ａと面一をなすように形成されている。突片部８１の下面に、嵌合突部８０から突設されている。
【０１３４】
嵌合突部８０は、外周面として円筒面を形成する円筒状の基部と、この基部に連続して嵌合突部８０の突出先端側にかけて縮径する截頭円錐状の円錐部とからなり、円錐部において円錐面状の外周面を形成する。嵌合突部８０は、基部および円錐部からなる外形形状に沿うとともに突片部８１の上面に開口する中空部を有し、中空状の部分として形成されている。
【０１３５】
このような嵌合突部８０に対し、本体ケーシング１０のフランジ部１１においては、嵌合突部８０が挿嵌される嵌合孔部１１ｅが設けられている（図１４参照）。嵌合孔部１１ｅは、嵌合突部８０が差し込まれる嵌合孔１１ｆを形成する部分である。嵌合孔１１ｆは、フランジ部１１の上面１１ａおよび下面１１ｃ側に開口し、上面部１１ｂを貫通するように形成されている。
【０１３６】
嵌合孔部１１ｅは、嵌合孔１１ｆを形成する部分として、上面部１１ｂの下面１１ｃ側に突出する略短円筒状ないし略円環状のボス部１１ｇを有する。ボス部１１ｇの内周面により、嵌合孔１１ｆの下側の部分が形成される。嵌合孔１１ｆは、嵌合突部８０の基部の外径寸法とよりもわずかに大きい内径寸法を有する。嵌合突部８０は、嵌合孔部１１ｅに嵌合した状態において、先端側の部分である円錐部を嵌合孔１１ｆの下側開口から突出させた状態となる。
【０１３７】
嵌合突部８０と嵌合孔部１１ｅによる嵌合部においては、本体ケーシング１０のフランジ部１１と取付補強材７の天面部３１との間に突片部８１が介在する（図１４参照）。このため、取付補強材７において開口３１ｃの短手方向に沿う長手凹部３１ｅは、その長手方向の中央部にて分断されており、この分断部分において、フランジ部１１の上面１１ａと天面部３１の下面３１ｂとの間に突片部８１が介装される隙間が存在する。
【０１３８】
本実施形態では、開口カバー８において、嵌合突部８０は、各短手辺部５２においてその長手方向の中央部の１箇所ずつ、合計で２箇所の位置に設けられている。つまり、嵌合突部８０は、短手辺部５２の外周側に設けられたボス部５８Ｂに対して短手辺部５２の内周側の近傍に位置する。
【０１３９】
以上のような嵌合突部８０によるフランジ部１１に対する位置決め用の嵌合構造において、嵌合突部８０の突出形状や嵌合孔部１１ｅの形状等については、本実施形態に限定されず、種々の構造を採用することができる。つまり、開口カバー８に設けられる嵌合突部としては、フランジ部１１に設けられた所定の嵌合部に対して嵌合し、開口カバー８に対して下側からフランジ部１１を接触させる本体ケーシング１０を開口カバー８に対して横方向（水平方向）について位置決めさせるための形状部分であれば、その形状等は特に限定されない。また、本体ケーシング１０のフランジ部１１側に嵌合突部を設け、開口カバー８側に嵌合孔部を設けた構成であってもよい。また、嵌合突部８０による嵌合部の数や配置位置についても本実施形態に限定されず適宜設定される。
【０１４０】
以上のような構成を備える本実施形態の装置取付構造による浴室乾燥装置１の取付手順の一例について説明する。
【０１４１】
まず、天井２の上方にある建物側の天井等の構造物の４箇所に吊ボルト４１をねじ込み、吊ボルト４１を垂設し、各吊ボルト４１に吊下げハンガー４２を取り付ける。４箇所の吊ボルト４１および吊下げハンガー４２に対し、取付補強材７が、天井２の下側から天井開口部３を介して取り付けられる。取付補強材７は、開口３１ｃの開口縁部に設けられた支持突片部３４が吊下げハンガー４２の下端部に締結具４３によって固定されることで取り付けられる。取付補強材７は、本体部分を天井開口部３から上方に突出させるとともに鍔部３３を天井下面２ｂに接触させた状態で、吊ボルト４１および吊下げハンガー４２により吊下げ支持される。取付補強材７の支持位置は、各吊ボルト４１において係止部４２ｂを上下から挟む２つのナット４１ｂによって調整される。
【０１４２】
次に、開口カバー８が、取付補強材７に対して下側から取り付けられる。開口カバー８の取付補強材７への取付けに際しては、まず、開口カバー８の４箇所の係止片部７０により、開口カバー８が取付補強材７に仮固定される。すなわち、係止片部７０を取付補強材７の係止孔部３１ｇに対して下側から位置合わせした状態で、取付補強材７に対して開口カバー８を押し付けることで、係止片部７０が係止孔部３１ｇを貫通して天面部３１に対してスナップフィットの態様で係合し、開口カバー８が取付補強材７に仮止めされる。
【０１４３】
開口カバー８が取付補強材７に仮固定された後、第２固定用ネジ６５により、開口カバー８が取付補強材７に８箇所で締結固定される。第２固定用ネジ６５は、開口カバー８の下側から、開口カバー８のボス部５８を貫通するとともに取付補強材７の天面部３１に螺合し、ネジ部６５ｂの大部分を天面部３１から上方に突出させた状態で、開口カバー８を取付補強材７に締結させる。
【０１４４】
また、第２固定用ネジ６５の締結にともない、上述したような開口カバー８の爪部５３の傾斜構造により、下側に露出する爪部５３の上面６１ａが略水平面となる。すなわち、第２固定用ネジ６５の締付け作用によって、開口カバー８の内周側が持ち上がるように開口カバー８が変形し、爪部５３の内周側が天井開口部３内に押し込まれる態様となり、自然状態で傾斜している爪部５３の下面６１ｂが略水平に沿った状態となる。
【０１４５】
開口カバー８が取付補強材７に固定された後、装置本体４にフィルタ５および表面パネル６が装着された浴室乾燥装置１が、取付補強材７および開口カバー８により天井開口部３に沿うように形成された開口部に対して取り付けられる。浴室乾燥装置１は、下側から螺挿される固定用ネジ４５によって本体ケーシング１０が６箇所で取付補強材７に固定されることにより、取付補強材７に固定支持される。
【０１４６】
本体ケーシング１０は、箱状の本体部分を下側から取付補強材７の天面部３１の開口３１ｃに貫通させるとともに、フランジ部１１を天面部３１に対して下側に係止させた状態で、固定用ネジ４５により固定される。固定用ネジ４５は、フランジ部１１の下側から、フランジ部１１の貫通孔１１ｄを貫通するとともに取付補強材７の天面部３１に螺合し、ネジ部４５ｂの大部分を天面部３１から上方に突出させた状態で、本体ケーシング１０を取付補強材７に締結させる。
【０１４７】
本体ケーシング１０の取付補強材７に対する固定に際しては、嵌合突部８０のフランジ部１１の嵌合孔部１１ｅに対する嵌合作用によって、本体ケーシング１０が取付補強材７に固定された開口カバー８に対して位置決めされ、本体ケーシング１０の位置ずれが防止される。
【０１４８】
以上のようにして、浴室乾燥装置１が天井２の天井開口部３に取り付けられる。
【０１４９】
以上説明した本実施形態に係る装置取付構造によれば、天井下面２ｂからの出代を可及的に小さくすることができるとともに、天井２の厚さに左右されずに取り付けることが可能であり、しかも、天井２の下側からの取付作業を容易に行うことができる。
【０１５０】
本実施形態に係る装置取付構造によれば、取付補強材７の天面部３１に対して、本体ケーシング１０を下側から上側に向かって固定用ネジ４５によりネジ固定する構成であることから、天井開口部３の奥まった位置、つまり天井下面２ｂよりも上方の位置で、浴室側からの簡単な作業によって本体ケーシング１０を容易に取り付けることができる。したがって、施工者が浴室側から浴室乾燥装置１を取り付ける際に、容易に施工することができ、取付作業の作業効率を向上することができる。
【０１５１】
また、本実施形態に係る装置取付構造によれば、本体ケーシング１０を天井下面２ｂよりも上方に位置する取付面に対して固定する構成であることから、浴室乾燥装置１の天井下面２ｂからの出代を可及的に小さくすることができるため、天井下面２ｂに対して浴室乾燥装置１を面一の態様に近付けることができる。これにより、天井面において高い意匠性を得ることができる。
【０１５２】
また、本実施形態に係る装置取付構造によれば、浴室乾燥装置１を天井２に取り付けるためのアダプタ部材である取付補強材７および開口カバー８は、天井２に対して天井下面２ｂ側からのみ係止した状態となる。このため、天井２の天井上面２ａ側は開放されていることから、天井２の厚さについての制限を受けることなく、天井２の厚さについて高い汎用性を得ることができる。
【０１５３】
また、本実施形態に係る装置取付構造においては、取付補強材７に取り付けられる開口カバー８に関し、天井下面２ｂに当接して取付補強材７の鍔部３３を下側から覆う爪部５３を有し、下側から螺挿される第２固定用ネジ６５によって取付補強材７に固定される構成が採用されるとともに、爪部５３の下面６１ｂについての傾斜構造が採用されている。
【０１５４】
このような構成によれば、開口カバー８を取付補強材７に第２固定用ネジ６５によって締結することで、その締結部分に上方の力が作用し、爪部５３の下面６１ｂの傾斜が軽減されるように爪部５３が撓む。これにより、爪部５３の下面６１ｂを水平に近付けることができ、しかも、爪部５３の当接壁部６２の上面６２ａと天井下面２ｂとの間に隙間が生じることを防止することができる。すなわち、爪部５３の上面６１ａ側においては被覆面部６１の上方に存在する鍔部３３との間に隙間を設けるとともに、被覆面部６１の下面６１ｂに傾斜を付けることで、開口カバー８を上側に食い込ませる態様で、取付補強材７および天井２に対して確実に接触支持させることができるとともに、下側に枠状に露出する爪部５３の下面６１ｂを略水平にすることができる。
【０１５５】
したがって、開口カバー８の取付補強材７に対する固定構造に関し、下側からの締結作業による容易かつ確実な固定状態が得られる。また、下側に枠状に露出する爪部５３の下面６１ｂを略水平にすることができるので、爪部５３の下面６１ｂを天井下面２ｂと略面一とすることができ、すっきりとした外観を得ることができ、意匠性の向上を図ることができる。
【０１５６】
また、本実施形態に係る装置取付構造においては、取付補強材７に対する開口カバー８の固定構造に関し、第２固定用ネジ６５による最終的な締結固定に先立つ係止片部７０によるスナップフィットの仮固定構造が採用されている。
【０１５７】
このような構成によれば、開口カバー８の落下を防ぐことができる。このため、第２固定用ネジ６５による開口カバー８の締結作業において、開口カバー８を押さえて支持しておく必要がなくなり、良好な作業性を得ることができ、施工性を改善することができる。
【０１５８】
また、本実施形態に係る装置取付構造においては、取付補強材７に固定された状態の開口カバー８に対して本体ケーシング１０を位置決めするための嵌合突部８０による嵌合構造が採用されている。
【０１５９】
このような構成によれば、本体ケーシング１０の取付けに際し、嵌合突部８０が嵌合孔１１ｆに嵌合することにより、本体ケーシング１０の位置が自動的に矯正されることから、下側から取り付けられる本体ケーシング１０を開口カバー８に対して容易に位置決めすることができ、本体ケーシング１０の位置ずれを防ぐことができる。したがって、本体ケーシング１０の取付けに際し、良好な取付作業性を得ることができ、施工者の技量によらず、本体ケーシング１０について天井２に対する取付状態として水平な状態を容易に得ることができる。
【０１６０】
また、嵌合突部８０の先端側の部分がテーパ状の円錐部により構成されていることから、嵌合突部８０を嵌合孔部１１ｅに挿入しやすくなり、嵌合突部８０の嵌合孔部１１ｅに対する挿嵌について良好な挿嵌性を得ることができる。結果として、本体ケーシング１０の位置決め作業性を向上することができる。
【符号の説明】
【０１６１】
１      浴室乾燥装置（天井設置型空調装置）
２      天井
２ｂ    天井下面
３      天井開口部
４      装置本体
７      取付補強材（取付部材）
８      開口カバー
１０    本体ケーシング
３１    天面部（水平部）
３１ｂ  下面（取付面）
３２    縦壁部（鉛直部）
３３    鍔部（張出部）
４１    吊ボルト
４２    吊下げハンガー
４５    固定用ネジ（締結部材）
５３    爪部
６１    被覆面部
６１ｂ  下面
６２    当接壁部
６５    第２固定用ネジ（締結部材）
６６    隙間
７０    係止片部
８０    嵌合突部
【図１】
0006536124.tif 000002
【図２】
0006536124.tif 000003
【図３】
0006536124.tif 000004
【図４】
0006536124.tif 000005
【図５】
0006536124.tif 000006
【図６】
0006536124.tif 000007
【図７】
0006536124.tif 000008
【図８】
0006536124.tif 000009
【図９】
0006536124.tif 000010
【図１０】
0006536124.tif 000011
【図１１】
0006536124.tif 000012
【図１２】
0006536124.tif 000013
【図１３】
0006536124.tif 000014
【図１４】
0006536124.tif 000015